(57)【要約】【課題】液体の移送元に残留する液体の低減を図る。【解決手段】インクカートリッジ１１は、インクを収容する袋部を有する。タンク１２は、インクカートリッジ１１から移送されたインクを収容する。移送撹拌部１５は、インクカートリッジ１１からタンク１２へインクを移送する。制御部４は、インクカートリッジ１１からタンク１２へインクを移送する際、インクの移送を開始して袋部の移送撹拌部１５側が吸着状態になる前に移送を終了する移送動作を間欠的に繰り返し行うよう移送撹拌部１５を制御する。【選択図】図１
2020138347.tif 000002
【特許請求の範囲】
【請求項１】
液体を収容する袋部を有する第１収容部と、
前記第１収容部から移送された液体を収容する第２収容部と、
前記第１収容部から前記第２収容部へ液体を移送する移送部と、
前記第１収容部から前記第２収容部へ液体を移送する際、液体の移送を開始して前記袋部の前記移送部側が吸着状態になる前に移送を終了する移送動作を間欠的に繰り返し行うよう前記移送部を制御する制御部と
を備えることを特徴とする移送装置。
【請求項２】
前記制御部は、前記各移送動作の時間を、当該移送動作の開始時における前記袋部内の液体の量に応じて設定することを特徴とする請求項１に記載の移送装置。
【請求項３】
前記制御部は、前記移送動作間の停止時間を、前記袋部内の液体の量に応じて設定することを特徴とする請求項１または２に記載の移送装置。
【発明の詳細な説明】
【技術分野】
【０００１】
本発明は、液体を移送する移送装置に関する。
【背景技術】
【０００２】
インクジェット印刷装置において、顔料インクを使用することがある。顔料インクでは、放置されることにより、顔料粒子の沈降が生じることがある。特に、金属粒子等の比重の大きい顔料を含むインクでは、顔料粒子の沈降が生じやすい。
【０００３】
インクの顔料粒子の沈降は、インクの増粘によるインクジェットヘッドにおける吐出不良を招くことがある。また、インクの顔料粒子の沈降は、インクジェットヘッドから吐出されるインクの濃度のバラツキを発生させるおそれがある。このような顔料粒子の沈降による不具合を防ぐために、インクの撹拌が行われている（特許文献１参照）。
【０００４】
これに関し、インクカートリッジにおけるインクの顔料粒子の沈降を解消するために、インクカートリッジのインクをインクジェット印刷装置に設けられた撹拌用のタンクに移送して、このタンク内のインクを撹拌する技術が知られている。
【先行技術文献】
【特許文献】
【０００５】
【特許文献１】特開２０１７−６５０７７号公報
【発明の概要】
【発明が解決しようとする課題】
【０００６】
ところで、スパウトパックにインクを収容しているインクカートリッジが知られている。スパウトパックは、可撓性を有する袋部に口栓部が取り付けられたものである。
【０００７】
スパウトパックを用いたインクカートリッジから撹拌用のタンクにインクを移送する場合、移送用のポンプがスパウトパックからインクを吸引すると、スパウトパックの袋部を構成するフィルムどうしが吸着し、袋部からインクが出ない状態になるおそれがある。
【０００８】
スパウトパックの袋部が一旦、フィルムどうしが吸着してインクが出ない状態になると、インクの吸引を停止してもその状態が解除されず、インクの移送ができなくなる。このため、移送元であるインクカートリッジに多くのインクが残留するおそれがある。
【０００９】
本発明は上記に鑑みてなされたもので、液体の移送元に残留する液体を低減できる移送装置を提供することを目的とする。
【課題を解決するための手段】
【００１０】
上記目的を達成するため、本発明の移送装置は、液体を収容する袋部を有する第１収容部と、前記第１収容部から移送された液体を収容する第２収容部と、前記第１収容部から前記第２収容部へ液体を移送する移送部と、前記第１収容部から前記第２収容部へ液体を移送する際、液体の移送を開始して前記袋部の前記移送部側が吸着状態になる前に移送を終了する移送動作を間欠的に繰り返し行うよう前記移送部を制御する制御部とを備えることを特徴とする。
【発明の効果】
【００１１】
本発明の移送装置によれば、液体の移送元に残留する液体を低減できる。
【図面の簡単な説明】
【００１２】
【図１】本発明の実施の形態に係る印刷装置の概略構成図である。
【図２】インクカートリッジの外観斜視図である。
【図３】インクカートリッジの部分拡大断面図である。
【図４】インクカートリッジのインクパックの部分拡大断面図である。
【図５】インクカートリッジからタンクへのインクの移送時の動作を説明するためのフローチャートである。
【図６】（ａ）〜（ｃ）は、インクパック内のインクの挙動の説明図である。
【図７】図５のフローチャートの処理によるポンプ、インク移送弁、および撹拌弁の動作のタイミングチャートである。
【発明を実施するための形態】
【００１３】
以下、本発明の実施の形態について、図面を参照して説明する。各図面を通じて同一もしくは同等の部位や構成要素には、同一もしくは同等の符号を付している。
【００１４】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１５】
図１は、本発明の実施の形態に係る移送装置が設けられた印刷装置の概略構成図である。図２は、図１に示す印刷装置に装填されるインクカートリッジの外観斜視図である。図３は、インクカートリッジの部分拡大断面図である。図４は、インクカートリッジのインクパックの部分拡大断面図である。
【００１６】
図１に示すように、本実施の形態に係る印刷装置１は、印刷部２と、インク供給部３と、制御部４とを備える。なお、インク供給部３の一部（後述のインクカートリッジ１１、タンク１２、および移送撹拌部１５）と制御部４とにより、移送装置が構成される。
【００１７】
印刷部２は、インクジェットヘッド（図示せず）を有し、インクジェットヘッドから用紙にインクを吐出して画像を印刷する。
【００１８】
インク供給部３は、インク（液体に相当）を撹拌するとともに、印刷部２にインクを供給する。インク供給部３は、インクカートリッジ（第１収容部に相当）１１と、タンク（第２収容部に相当）１２と、大気開放管１３と、エアフィルタ１４と、移送撹拌部（移送部に相当）１５と、インク供給管１６と、インク供給弁１７とを備える。
【００１９】
ここで、印刷装置１で印刷に使用されるインクは顔料インクであり、放置されると顔料粒子の沈降が生じるおそれがあるものである。例えば、印刷装置１で印刷に使用されるインクは、磁性体である金属粒子を含むＭＩＣＲ（Magnetic Ink Character Reader）インクである。インクの顔料粒子の沈降は、インクジェットヘッドにおける吐出不良や、吐出されるインクの濃度のバラツキ等の不具合を招く。インクカートリッジ１１でインクの顔料粒子が沈降している可能性があるため、印刷装置１では、インク供給部３においてインクの撹拌を行い、顔料粒子が沈降している場合にはそれが解消されるようにする。
【００２０】
インクカートリッジ１１は、印刷部２による印刷に用いるインクである顔料インクを収容している。インクカートリッジ１１は、印刷装置１に設けられたカートリッジ取付機構（図示せず）に着脱可能に構成されている。
【００２１】
図２、図３に示すように、インクカートリッジ１１は、インクパック２１と、外装体２２と、係合部２３とを備える。
【００２２】
インクパック２１は、スパウトパックからなる。図２〜図４に示すように、インクパック２１は、袋部２６と、口栓部２７とを備える。
【００２３】
袋部２６は、インクを収容する部分である。袋部２６は、可撓性を有する細長い袋体により形成されている。本実施の形態の袋部２６は、長方形状の熱可塑性フィルムを２枚重ね、長手方向の一端に口栓部２７を介在させた状態で、その周囲を熱溶着により接合して形成されている。
【００２４】
口栓部２７は、袋部２６からインクを取り出すためのものである。口栓部２７は、袋部２６の長手方向の一端に取り付けられている。口栓部２７は、係合部２３と係合している。
【００２５】
外装体２２は、インクパック２１を収容するものである。外装体２２は、長手方向における一端が開口され、他端が閉止された、有底の中空直方体をなす箱状に形成されている。外装体２２の開口部には、係合部２３が嵌め込まれている。
【００２６】
ここで、図２、図３における上下方向は鉛直方向である。インクカートリッジ１１を印刷装置１に装填した状態において、図２、図３に示すように、外装体２２の上面および下面が水平となる。
【００２７】
係合部２３は、インクカートリッジ１１を印刷装置１に装填した際に、カートリッジ取付機構と係合される着脱機構として機能する。
【００２８】
タンク１２は、インクカートリッジ１１から移送されたインクを撹拌するために収容する。
【００２９】
大気開放管１３は、タンク１２を大気開放するための空気の流路を形成する。大気開放管１３は、一端がタンク１２に接続され、他端がエアフィルタ１４を介して大気に通じている。エアフィルタ１４は、大気開放管１３への空気中のゴミ等の進入を防止する。
【００３０】
移送撹拌部１５は、インクカートリッジ１１からタンク１２へのインクの移送、およびタンク１２内のインクの撹拌を行う。移送撹拌部１５は、インク移送管３１と、インク流出管３２と、インク移送弁３３と、撹拌弁３４と、ポンプ３５とを備える。
【００３１】
インク移送管３１は、インクカートリッジ１１とタンク１２とを接続する。インク移送管３１のインクカートリッジ１１側の端は、カートリッジ取付機構を介して、インクパック２１の口栓部２７に接続されている。インク移送管３１は、インクカートリッジ１１からタンク１２へインクを移送する経路である移送経路Ｒｔを構成する。
【００３２】
インク流出管３２は、タンク１２とインク移送管３１とを接続する。
【００３３】
インク流出管３２と、インク移送管３１のインク流出管３２が接続された地点よりタンク１２側の部分とにより、撹拌経路Ｒｓが構成される。撹拌経路Ｒｓは、インクをタンク１２から流出させてタンク１２に戻す経路である。
【００３４】
インク移送弁３３は、インク移送管３１内のインクの流路を開閉する。インク移送弁３３は、インク移送管３１のインク流出管３２が接続された地点よりインクカートリッジ１１側の部分に配置されている。
【００３５】
撹拌弁３４は、インク流出管３２内のインクの流路を開閉する。
【００３６】
インク移送弁３３および撹拌弁３４は、移送経路Ｒｔおよび撹拌経路Ｒｓのうち、開通する経路の切り替えを行う。具体的には、インク移送弁３３が開放され、撹拌弁３４が閉鎖されることにより、移送経路Ｒｔが開通され、撹拌経路Ｒｓが閉鎖された状態となる。また、インク移送弁３３が閉鎖され、撹拌弁３４が開放されることにより、撹拌経路Ｒｓが開通され、移送経路Ｒｔが閉鎖された状態となる。
【００３７】
ポンプ３５は、移送経路Ｒｔを介してインクカートリッジ１１のインクパック２１からインクを吸引してタンク１２へ移送する。また、ポンプ３５は、撹拌経路Ｒｓを介してインクをタンク１２から流出させてタンク１２に戻すように送液することで、タンク１２内のインクを撹拌するためにも使用される。
【００３８】
ポンプ３５は、移送経路Ｒｔと撹拌経路Ｒｓとの共通部分に配置されている。具体的には、ポンプ３５は、インク移送管３１のインク流出管３２が接続された地点よりタンク１２側の部分に配置されている。
【００３９】
インク供給管１６は、タンク１２と印刷部２とを接続する。
【００４０】
インク供給弁１７は、インク供給管１６内のインクの流路を開閉する。インク供給弁１７が開放されると、タンク１２から印刷部２へインクが供給される。
【００４１】
制御部４は、印刷装置１の各部の動作を制御する。制御部４は、ＣＰＵ、ＲＡＭ、ＲＯＭ、ハードディスク等を備えて構成される。
【００４２】
具体的には、制御部４は、インク供給部３から印刷部２にインクを供給しつつ、印刷部２により用紙に印刷するよう制御する。また、制御部４は、タンク１２内のインクの液面高さが所定の下限高さ以下になると、インクカートリッジ１１からタンク１２へインクを移送するよう移送撹拌部１５を制御する。この際、制御部４は、インクカートリッジ１１からタンク１２へのインクの移送を開始して袋部２６の移送撹拌部１５側が吸着状態になる前に移送を終了する移送動作を間欠的に繰り返し行うよう移送撹拌部１５を制御する。また、制御部４は、各移送動作に引き続いてタンク１２内のインクを撹拌する撹拌動作を行うよう移送撹拌部１５を制御する。
【００４３】
ここで、「袋部２６の移送撹拌部１５側が吸着状態」とは、口栓部２７付近において袋部２６を構成するフィルムどうしが吸着して袋部２６からインクが出なくなった状態を意味する。なお、以下において、この状態を「袋部２６が吸着状態」ともいう。
【００４４】
次に、印刷装置１の動作について説明する。
【００４５】
印刷を行う際、制御部４は、印刷部２のインクジェットヘッドから用紙にインクを吐出させる。これによりインクが消費され、印刷部２へのインクの供給が必要になると、制御部４は、インク供給弁１７を開放する。インク供給弁１７が開放されると、インク供給管１６を介してタンク１２から印刷部２へインクが供給される。必要な量のインクが供給されると、制御部４は、インク供給弁１７を閉鎖する。
【００４６】
ここで、印刷部２へのインクの供給により、タンク１２内のインクが減少し、インクの液面が下降する。タンク１２内のインクの液面高さが下限高さ以下になったことがセンサ（図示せず）により検出されると、制御部４は、タンク１２内のインクがなくなったと判定し、インク供給弁１７を閉鎖する。
【００４７】
そして、制御部４は、インクカートリッジ１１からタンク１２へのインクの移送を実行する。このインクカートリッジ１１からタンク１２へのインクの移送時の動作について、図５のフローチャートを参照して説明する。
【００４８】
図５のステップＳ１において、制御部４は、何回目の移送動作および撹拌動作であるかを示す変数ｎに「１」を設定する。
【００４９】
次いで、ステップＳ２において、制御部４は、インク移送弁３３を開放し、ポンプ３５の駆動を開始させる。
【００５０】
ここで、インクカートリッジ１１からタンク１２へのインクの移送を開始する直前の状態では、インク移送弁３３および撹拌弁３４はいずれも閉鎖されている。また、印刷装置１には新しいインクカートリッジ１１が装着されている。
【００５１】
インク移送弁３３および撹拌弁３４が閉鎖された状態からインク移送弁３３が開放されることで、撹拌経路Ｒｓが閉鎖され、移送経路Ｒｔが開通された状態となる。この状態でポンプ３５の駆動が開始されることで、最初の移送動作が開始され、インクカートリッジ１１の口栓部２７を介して袋部２６からタンク１２へインクが移送され始める。ここで、本実施の形態におけるポンプ３５は、移送動作および撹拌動作において、一定の送液能力でインクの送液を行うものである。
【００５２】
次いで、ステップＳ３において、制御部４は、ｎ回目の移送動作の開始から所定の移送動作時間Ｔａ（ｎ）が経過したか否かを判断する。移送動作時間Ｔａ（ｎ）は、ｎ回目の移送動作の時間として予め設定されたものである。移送動作時間Ｔａ（ｎ）は、袋部２６からのインクの送液により袋部２６が吸着状態になる前に移送動作が終了するように設定されている。
【００５３】
ここで、ポンプ３５により袋部２６からインクが吸引されると、口栓部２７付近のインクが急激に減少し、袋部２６を構成するフィルムどうしが吸着して袋部２６からインクが出ない状態、すなわち、袋部２６が吸着状態になるおそれがある。一旦、袋部２６が吸着状態になると、インクの吸引を停止してもその状態が解除されず、インクの移送ができなくなる。そこで、袋部２６が吸着状態になることを回避するために、移送動作時間Ｔａ（ｎ）が設定されている。
【００５４】
移送動作時間Ｔａ（ｎ）は、１回の移送動作で可能な限り多くのインクを移送するために、袋部２６が吸着状態になる直前のタイミングで移送動作が終了するように設定されている。ここで、袋部２６内のインクの量が少なくなるほど、袋部２６が吸着状態になるまでに吸引可能なインク量が少なくなる。このため、移送動作時間Ｔａ（ｎ）は、ｎ回目の移送動作の開始時における袋部２６内のインクの量に応じて設定されている。
【００５５】
移送動作時間Ｔａ（ｎ）は、ｎ回目の移送動作の開始時における袋部２６内のインクの量が少なくなるほど、短くなる。すなわち、ｎが大きいほど、移送動作時間Ｔａ（ｎ）は短くなる。換言すれば、ｎが小さいほど、すなわち、早い段階の移送動作ほど、移送動作時間Ｔａ（ｎ）が長く、１回の移送動作で多くのインクを移送できるようになっている。なお、ｎ回目の移送動作の開始時における袋部２６内のインクの量は、初期の袋部２６内のインクの量から、前回までの移送動作によるインクの移送量を減算することで算出可能である。
【００５６】
ｎ回目の移送動作の開始から移送動作時間Ｔａ（ｎ）が経過していないと判断した場合（ステップＳ３：ＮＯ）、制御部４は、ステップＳ３を繰り返す。
【００５７】
ｎ回目の移送動作の開始から移送動作時間Ｔａ（ｎ）が経過したと判断した場合（ステップＳ３：ＹＥＳ）、ステップＳ４において、制御部４は、インク移送弁３３を閉鎖し、撹拌弁３４を開放する。これにより、撹拌経路Ｒｓが開通され、移送経路Ｒｔが閉鎖された状態に切り替わる。この際、ポンプ３５が引き続き駆動されていることで、撹拌経路Ｒｓを介してインクが循環され始める。これにより、ｎ回目の移送動作が終了するとともに、ｎ回目の撹拌動作が開始され、タンク１２内のインクが撹拌され始める。
【００５８】
次いで、ステップＳ５において、制御部４は、ｎ回目の撹拌動作の開始から所定の撹拌動作時間Ｔｂ（ｎ）が経過したか否かを判断する。
【００５９】
ここで、撹拌動作時間Ｔｂ（ｎ）は、ｎ回目の撹拌動作の時間として予め設定されたものである。ｎ＝１〜（Ｎ−１）における撹拌動作時間Ｔｂ（１）〜Ｔｂ（Ｎ−１）は、各移送動作間における移送動作の停止時間でもある。Ｎは、インクカートリッジ１１からタンク１２へインクを移送する際にそれぞれ間欠的に行われる移送動作および撹拌動作の回数である。Ｎは２以上の整数である。
【００６０】
ｎ＝１〜（Ｎ−１）における撹拌動作時間Ｔｂ（１）〜Ｔｂ（Ｎ−１）は、それぞれ１回目〜（Ｎ−１）回目の移送動作終了後に次回の移送動作を実行可能な状態にインクパック２１が戻るために必要な時間として設定されている。
【００６１】
ここで、図６（ａ）に示すように、移送動作において、口栓部２７を介してインクが送液されると、移送動作の終了時には、図６（ｂ）に示すように、口栓部２７付近のインクが減少した状態となる。
【００６２】
これに対し、移送動作終了後には、図６（ｃ）に示すように、袋部２６の厚さが均等化するように、インクが口栓部２７の反対側から口栓部２７側へ流れる。これにより、時間の経過とともに口栓部２７付近にインクが戻り、インクパック２１が次回の移送動作を実行可能な状態になる。
【００６３】
図６（ｂ）のような口栓部２７付近のインクが減少した状態から、図６（ｃ）のようなインクパック２１が次回の移送動作を実行可能な状態には、袋部２６内のインクの量が多いほど、短時間で移行する。
【００６４】
したがって、ｎ＝１〜（Ｎ−１）における撹拌動作時間Ｔｂ（ｎ）は、袋部２６内のインクの量に応じて設定されている。ｎ＝１〜（Ｎ−１）における撹拌動作時間Ｔｂ（ｎ）は、袋部２６内のインクの量が少ないほど、すなわち、ｎが大きいほど、長くなる。
【００６５】
最後（Ｎ回目）の撹拌動作時間Ｔｂ（Ｎ）は、タンク１２内のインクを十分に撹拌できる長さに設定されている。
【００６６】
図５に戻り、ｎ回目の撹拌動作の開始から撹拌動作時間Ｔｂ（ｎ）が経過していないと判断した場合（ステップＳ５：ＮＯ）、制御部４は、ステップＳ５を繰り返す。
【００６７】
ｎ回目の撹拌動作の開始から撹拌動作時間Ｔｂ（ｎ）が経過したと判断した場合（ステップＳ５：ＹＥＳ）、ステップＳ６において、制御部４は、変数ｎが、最後の移送動作および撹拌動作であることを示す「Ｎ」であるか否かを判断する。
【００６８】
ｎ＝Ｎではないと判断した場合（ステップＳ６：ＮＯ）、ステップＳ７において、制御部４は、変数ｎに「１」を加算する。
【００６９】
次いで、ステップＳ８において、制御部４は、撹拌弁３４を閉鎖し、インク移送弁３３を開放する。これにより、撹拌経路Ｒｓが閉鎖され、移送経路Ｒｔが開通された状態に切り替わり、移送経路Ｒｔに沿ってインクカートリッジ１１からタンク１２へインクが移送され始める。すなわち、（ｎ−１）回目の撹拌動作が終了するとともに、ｎ回目の移送動作が開始される。この後、制御部４は、ステップＳ３に戻る。
【００７０】
ステップＳ６において、ｎ＝Ｎであると判断した場合（ステップＳ６：ＹＥＳ）、ステップＳ９において、制御部４は、ポンプ３５を停止させ、撹拌弁３４を閉鎖する。これにより、最後（Ｎ回目）の撹拌動作が終了し、一連の動作が終了となる。
【００７１】
上述のような図５のフローチャートの処理により、図７に示すように、移送動作が間欠的に繰り返し行われる。移送動作時間Ｔａ（ｎ）は、袋部２６が吸着状態になる直前のタイミングで移送動作が終了するように設定されている。そして、移送動作時間Ｔａ（ｎ）は、Ｔａ（１）＞Ｔａ（２）＞…＞Ｔａ（Ｎ）となっている。
【００７２】
また、各移送動作間、および最後（Ｎ回目）の移送動作後には、撹拌動作が行われる。各移送動作間における移送動作の停止時間である撹拌動作時間Ｔｂ（１）〜Ｔｂ（Ｎ−１）は、Ｔｂ（１）＜Ｔｂ（２）＜…＜Ｔｂ（Ｎ−１）となっている。
【００７３】
以上説明したように、印刷装置１では、制御部４は、インクカートリッジ１１からタンク１２へインクを移送する際、インクの移送を開始して袋部２６が吸着状態になる前に移送を終了する移送動作を間欠的に繰り返し行うよう移送撹拌部１５を制御する。これにより、袋部２６が吸着状態になってインクの移送ができなくなることが抑えられるので、移送元であるインクパック２１に残留するインクを低減できる。
【００７４】
また、印刷装置１では、制御部４は、各移送動作の移送動作時間Ｔａ（ｎ）を、当該移送動作の開始時における袋部２６内のインクの量に応じて設定している。これにより、１回の移送動作で移送するインクの量が少なすぎて移送の効率が低くなることが抑えられるので、インクの移送に要する時間を短縮できる。
【００７５】
また、印刷装置１では、制御部４は、移送動作間の停止時間（撹拌動作時間Ｔｂ（１）〜Ｔｂ（Ｎ−１））を、その時点における袋部２６内のインクの量に応じて設定している。これにより、移送動作間の停止時間を必要以上に長くとることが抑えられるので、インクの移送に要する時間をより短縮できる。
【００７６】
なお、各移送動作の移送動作時間Ｔａ（ｎ）を、インクの種類に応じて調整してもよい。具体的には、インクが粘度の高い種類であるほど、移送動作時間Ｔａ（ｎ）が長くなるように調整してもよい。インクの粘度が高いほど、ポンプ３５によるインクの流量が低下するため、移送動作時間Ｔａ（ｎ）を長くすることで、各移送動作で移送するインクの量が低下することが抑えられる。
【００７７】
また、移送動作間の停止時間（撹拌動作時間Ｔｂ（１）〜Ｔｂ（Ｎ−１））を、インクの種類に応じて調整してもよい。具体的には、インクが粘度の高い種類であるほど、移送動作間の停止時間が長くなるように調整してもよい。インクの粘度が高いほど、移送動作によりインクが減少した口栓部２７付近にインクが戻って次回の移送動作を実行可能な状態になるまでに必要な時間が長くなる。このため、インクが粘度の高い種類であるほど、移送動作間の停止時間を長くすることで、インクパック２１が移送動作を実行可能な状態になる前に移送動作が開始されて袋部２６が吸着状態になることを抑制できる。
【００７８】
また、上述した実施の形態では、移送動作の開始時における袋部２６内のインクの量に応じて移送動作時間Ｔａ（ｎ）を設定したが、移送動作の開始時における袋部２６内のインクの量に関わらず、移送動作時間Ｔａ（ｎ）を一定としてもよい。
【００７９】
この場合、最後の移送動作でも袋部２６が吸着状態になる前に移送が終了するように、各移送動作の移送動作時間Ｔａ（ｎ）を設定すればよい。また、この場合において、インクの種類に応じて、移送動作時間Ｔａ（ｎ）を調整してもよいし、インクの種類に関わらず使用可能な移送動作時間Ｔａ（ｎ）を設定してもよい。インクの種類に関わらず使用可能な移送動作時間Ｔａ（ｎ）を設定する場合、インクカートリッジ１１のインクが、印刷装置１で使用可能な種類のうち最も粘度が高い種類のインクである場合に、最後の移送動作でも袋部２６が吸着状態になる前に移送が終了するような時間を、各移送動作における移送動作時間Ｔａ（ｎ）として設定すればよい。
【００８０】
また、上述した実施の形態では、袋部２６内のインクの量に応じて移送動作間の停止時間を設定したが、袋部２６内のインクの量に関わらず、移送動作間の停止時間を一定としてもよい。また、この場合において、インクの種類に応じて、移送動作間の停止時間を調整してもよいし、インクの種類に関わらず使用可能な移送動作間の停止時間を設定してもよい。インクの種類に関わらず使用可能な移送動作間の停止時間を設定する場合、インクカートリッジ１１のインクが、印刷装置１で使用可能な種類のうち最も粘度が高い種類のインクである場合に、最後の移送動作の直前の移送動作によりインクが減少した口栓部２７付近にインクが戻って最後の移送動作を実行可能な状態となるような停止時間を、各移送動作間の停止時間として設定すればよい。
【００８１】
また、上述した実施の形態では、移送動作間に撹拌動作を行う例を示したが、撹拌動作は行わずに間欠的な移送動作を行うものでもよい。
【００８２】
また、ポンプ３５として流量制御が可能なものを使用し、間欠的な移送動作ではなく、徐々にインクの流量を低下させて袋部２６が吸着状態になることを回避する連続的な移送動作により、インクパック２１内のすべてのインクをタンク１２に移送してもよい。
【００８３】
また、上述した実施の形態では、顔料粒子の沈降が生じるインクを撹拌する場合について説明したが、撹拌対象のインクは、成分の沈降が生じるものに限らず、例えば、成分の分離が生じるものであってもよい。
【００８４】
また、上述した実施の形態では、インクカートリッジ１１から移送されたインクを撹拌するために収容する構成としてタンク１２を示したが、インクを撹拌するために収容する構成はこれに限らない。例えば、可撓性を有するパックであってもよい。
【００８５】
また、インク以外の液体を移送する装置にも本発明は適用可能である。
【００８６】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【００８７】
［付記］
本出願は、以下の発明を開示する。
【００８８】
（付記１）
液体を収容する袋部を有する第１収容部と、
前記第１収容部から移送された液体を収容する第２収容部と、
前記第１収容部から前記第２収容部へ液体を移送する移送部と、
前記第１収容部から前記第２収容部へ液体を移送する際、液体の移送を開始して前記袋部の前記移送部側が吸着状態になる前に移送を終了する移送動作を間欠的に繰り返し行うよう前記移送部を制御する制御部と
を備えることを特徴とする移送装置。
【００８９】
（付記２）
前記制御部は、前記各移送動作の時間を、当該移送動作の開始時における前記袋部内の液体の量に応じて設定することを特徴とする付記１に記載の移送装置。
【００９０】
（付記３）
前記制御部は、前記移送動作間の停止時間を、前記袋部内の液体の量に応じて設定することを特徴とする付記１または２に記載の移送装置。
【符号の説明】
【００９１】
１  印刷装置
２  印刷部
３  インク供給部
４  制御部
１１  インクカートリッジ
１２  タンク
１３  大気開放管
１４  エアフィルタ
１５  移送撹拌部
１６  インク供給管
１７  インク供給弁
２１  インクパック
２２  外装体
２３  係合部
２６  袋部
２７  口栓部
３１  インク移送管
３２  インク流出管
３３  インク移送弁
３４  撹拌弁
３５  ポンプ
Ｒｓ  撹拌経路
Ｒｔ  移送経路
【図１】
2020138347.tif 000003
【図２】
2020138347.tif 000004
【図３】
2020138347.tif 000005
【図４】
2020138347.tif 000006
【図５】
2020138347.tif 000007
【図６】
2020138347.tif 000008
【図７】
2020138347.tif 000009